(57)【要約】【課題】遮音性能を効果的に高めることができ、しかも既存床構造への適用が容易であって、設計の自由度も高く、施工性にも優れた衝撃ダンパを用いた遮音床構造の提供を目的とする。【解決手段】この遮音床構造は、複数の粒状体７・・を有する衝撃ダンパ５を梁１、１間に跨って取り付けている。この取り付けに際して、衝撃ダンパ５のダンパ枠６を梁１、１間に落とし込むようにして、ダンパ枠６の両端部から水平方向に張り出した設置片１３、１３を梁１、１の上面に載置する。そして、この衝撃ダンパ５上に床板３０を設置して、これら衝撃ダンパ５と床板３０とをビス３２、３２のねじ込みによって一体化させている。【選択図】図１
2007231689.tif 000002
【特許請求の範囲】
【請求項１】
複数の粒状体（７）・・を有する衝撃ダンパ（５）を梁（１）（１）間又は根太間に跨って取り付けるとともに、前記衝撃ダンパ（５）上に床板（３０）を設置して、前記衝撃ダンパ（５）と床板（３０）とを一体化させたことを特徴とする衝撃ダンパを用いた遮音床構造。
【請求項２】
前記衝撃ダンパ（５）は、前記粒状体（７）・・を充填したダンパ枠（６）を備え、このダンパ枠（６）を前記梁（１）（１）間又は根太間に落とし込むようにして、前記ダンパ枠（６）の両端部から水平方向に張り出した設置片（１３）（１３）を前記梁（１）（１）又は根太の上面に載置することで、前記衝撃ダンパ（５）を前記梁（１）（１）間又は根太間に跨って取り付けるようにした請求項１記載の衝撃ダンパを用いた遮音床構造。
【請求項３】
前記衝撃ダンパ（５）の設置片（１３）（１３）を、前記床板（３０）によって前記梁（１）（１）又は根太の上面に押さえ付けるようにした請求項２記載の衝撃ダンパを用いた遮音床構造。
【請求項４】
前記ダンパ枠（６）は、リップ（１０）（１０）付きの溝形鋼からなる上枠材（１１）と、前記設置片（１３）（１３）を有する帯板状の鋼板からなる下枠材（１２）とを備え、一対のリップ（１０）（１０）間の開放部分を下向きとした前記上枠材（１１）の溝部（１６）内に前記下枠材（１２）を配置するとともに、前記一対のリップ（１０）（１０）によって前記下枠材（１２）を下支えしてなり、それら上枠材（１１）と下枠材（１２）によって構成される空洞部分（１７）に前記粒状体（７）・・を充填した請求項２又は３記載の衝撃ダンパを用いた遮音床構造。
【請求項５】
前記梁（１）はＨ形鋼からなり、その上側フランジ（８）に形成してあるボルト挿通用孔（９）へ前記設置片（１３）（１３）から下方向へ突出した突起（１４）・・を嵌め込むようにした請求項２乃至４のいずれかに記載の衝撃ダンパを用いた遮音床構造。
【請求項６】
前記衝撃ダンパ（５）・・を前記梁（１）・・又は根太の長手方向に間隔をあけて複数配置した請求項１乃至５のいずれかに記載の衝撃ダンパを用いた遮音床構造。
【発明の詳細な説明】
【技術分野】
【０００１】
この発明は、例えば戸建て住宅やマンション等の建物に適用される衝撃ダンパを用いた遮音床構造に関する。
【背景技術】
【０００２】
一般に、戸建て住宅やマンション等の建物において、上階から下階へ伝搬する床衝撃音を低減して遮音性能を向上させるために、床板や天井板の面密度を大きくするといった対策が採られている。
【０００３】
しかしながら、この場合、床板や天井板の重量が増大することになり、特に木造住宅や軽量鉄骨造住宅では、このような重い床板や天井板を支えるだけの構造体を確保すると、設計の自由度が制限されるといった問題があった。
【０００４】
そこで、近年では、床や天井に制振機構を設けて、衝撃が加わったときの床板や天井板の振動を低減することで、遮音性能を向上するといった構造が提案されている。この種の制振機構の１つとして、床板や天井板に加わる衝撃によって粒状体が振動することで、床板や天井板を振動させるためのエネルギーの一部を粒状体の振動のためのエネルギーとして消耗させるとともに、床板や天井板に対してその振動を抑制する反衝撃力を与えて、床板や天井板の振動を低減するようにした衝撃ダンパが知られている。
【０００５】
例えば、特許文献１には、床板を支持する金属製の梁の中空部に粒状体を充填することによって、梁に衝撃ダンパを組み込んだ床構造が開示され、また特許文献２には、セメント製の床板の中空部に粒状体を充填することによって、床板に衝撃ダンパを組み込んだ床構造が開示されている。さらに、床板の下面や天井板の上面に衝撃ダンパを単に備え付けた構造のものある。
【０００６】
【特許文献１】特開２００２−１１５３６３号公報
【特許文献２】特開平１０−２０５０４３号公報
【発明の開示】
【発明が解決しようとする課題】
【０００７】
しかしながら、上記の特許文献１に開示されている床構造では、高い剛性が要求される動き難い梁の中空部に粒状体を充填しているので、粒状体の振動による制振効果を十分に生かしきれず、また粒状体の容量や配置箇所も限定されるので、設計の自由度も制限されるといった不具合があった。さらに、中空部を有する梁を用いる必要があるため、例えばＨ形鋼からなる鋼製梁、角材からなる木製梁や木製根太を備えた床構造への適用は困難であった。
【０００８】
上記の特許文献２に開示されている床構造では、床板の中空部に粒状体を充填しているので、それだけ床板が重くなって床板の運搬や設置に支障をきたすことになり、また粒状体の容量や配置箇所も限定されるので、設計の自由度も制限されるといった不具合があった。また、中空部を有する床板を用いる必要があるため、例えばＡＬＣからなる床板や構造用合板からなる床板を備えた床構造への適用は困難であった。
【０００９】
また、床板の下面や天井板の上面に衝撃ダンパを単に備え付けた場合にも、それだけ床板や天井板が重くなり、床板や天井板の運搬や設置に支障をきたすといった不具合があった。
【００１０】
そこで、この発明は、上記不具合を解決するため、遮音性能を効果的に高めることができ、しかも既存床構造への適用が容易であって、設計の自由度も高く、施工性にも優れた衝撃ダンパを用いた遮音床構造の提供を目的とする。
【課題を解決するための手段】
【００１１】
上記課題を解決するため、この発明の遮音床構造は、複数の粒状体７・・を有する衝撃ダンパ５を梁１、１間又は根太間に跨って取り付けるとともに、前記衝撃ダンパ５上に床板３０を設置して、前記衝撃ダンパ５と床板３０とを一体化させたことを特徴とする。
【００１２】
具体的に、前記衝撃ダンパ５は、前記粒状体７・・を充填したダンパ枠６を備え、このダンパ枠６を前記梁１、１間又は根太間に落とし込むようにして、前記ダンパ枠６の両端部から水平方向に張り出した設置片１３、１３を前記梁１、１又は根太の上面に載置することで、前記衝撃ダンパ５を前記梁１、１間又は根太間に跨って取り付けるようにしている。
【００１３】
また、前記衝撃ダンパ５の設置片１３、１３を、前記床板３０によって前記梁１、１又は根太の上面に押さえ付けるようにしている。
【００１４】
さらに、前記ダンパ枠６は、リップ１０、１０付きの溝形鋼からなる上枠材１１と、前記設置片１３、１３を有する帯板状の鋼板からなる下枠材１２とを備え、一対のリップ１０、１０間の開放部分を下向きとした前記上枠材１１の溝部１６内に前記下枠材１２を配置するとともに、前記一対のリップ１０、１０によって前記下枠材１２を下支えしてなり、それら上枠材１１と下枠材１２によって構成される空洞部分１７に前記粒状体７・・を充填している。
【００１５】
さらにまた、前記梁１はＨ形鋼からなり、その上側フランジ８に形成してあるボルト挿通用孔９へ前記設置片１３、１３から下方向へ突出した突起１４・・を嵌め込むようにしている。
【００１６】
さらに、前記衝撃ダンパ５・・を前記梁１・・又は根太の長手方向に間隔をあけて複数配置している。
【発明の効果】
【００１７】
この発明の遮音床構造では、衝撃ダンパを梁等の構造材や床板に組み込むのではなく、構造材や床板とは別体の衝撃ダンパを梁間や根太間に跨って取り付けて、この衝撃ダンパと床板とを一体化させているので、構造材や床板として、衝撃ダンパを組み込むようにした特別な仕様のものを用いる必要がなく、既存床構造へ容易に適用することができる。しかも、衝撃ダンパの配置箇所や個数、粒状体の容量、ダンパ枠の強度等を自由に設定することができ、粒状体の振動による制振効果を十分に生かした遮音性能の高い構造とすることができる。さらに、衝撃ダンパは、梁や根太によって支持されるので、床板等の重量増加を招くこともなく、施工性も良好である。
【００１８】
また、衝撃ダンパの取り付けに際して、ダンパ枠を梁間又は根太間に落とし込むようにして、水平方向に張り出した設置片を梁又は根太の上面に載置しているので、梁間や根太間のスペースの有効利用を図りながら、床レベルの上昇を抑えることができる。
【００１９】
さらに、衝撃ダンパの設置片を、床板によって梁又は根太の上面に押さえ付けたり、設置片の突起を梁のボルト挿通用孔へ嵌め込むことで、衝撃ダンパをボルト等を用いて梁等に固定しなくても、衝撃ダンパを安定して取り付けることができ、施工性をさらに向上することができる。
【００２０】
衝撃ダンパのダンパ枠は、リップ付きの溝形鋼からなる上枠材と帯板状の鋼板からなる下枠材とを組み合わせただけの簡単な構造であって、溶接やボルトによる固定を必要とせず、従って衝撃ダンパの製造コストを安価に抑えることができる。しかも、上枠材のリップによって下枠材を下支えしているので、ダンパ枠の撓みを抑えた強度的に強い衝撃ダンパとすることができる。
【発明を実施するための最良の形態】
【００２１】
以下、この発明の実施形態を図面に基づいて詳細に説明する。この発明の一実施形態に係る遮音床構造は、図１に示すように、例えば軽量鉄骨造住宅の上階床に適用されている。図において、１は、例えばＨ形鋼からなる床梁、２は、隣接する互いに平行な床梁１、１同士を連結する梁繋ぎ、３は、外壁部、４は、床梁１・・に吊り下げ支持された天井部である。
【００２２】
５は、隣接する床梁１、１間に跨って取り付けられた衝撃ダンパである。この衝撃ダンパ５は、図２に示すように、ダンパ枠６と、このダンパ枠６内に充填した多数の粒状体７・・とからなる。なお、粒状体７・・としては、例えば金属球が用いられているが、比較的硬くて重量のあるものであれば良い。また、例えば金属球をゴム等の弾性被膜で覆って、騒音対策を施したものを用いるようにしても良い。
【００２３】
ダンパ枠６は、図２乃至図４に示すように、リップ１０、１０付きの溝形鋼からなる上枠材１１と、帯板状の鋼板からなる下枠材１２とを組み合わせることによって構成されている。下枠材１２の両端部は、互いに僅かに拡開するようにして立ち上げられた後、互いに離間するように水平方向へ張り出しており、その張り出し部分が床梁１、１に設置するための設置片１３、１３とされている。また、設置片１３、１３には、エンボス加工によって下方向に突出する例えば４個の突起１４・・が、床梁１の上側フランジ８に形成してあるボルト挿通用孔９・・に対応して夫々形成されている。
【００２４】
そして、一対のリップ１０、１０間の開放部分を下向きとした上枠材１１の溝部１６内に下枠材１２が配置されて、一対のリップ１０、１０によって下枠材１２を下支えすることで、上枠材１１と下枠材１２とが組み合わされており、これら上枠材１１と下枠材１２によって構成される空洞部分１７に多数の粒状体７・・が充填されている。
【００２５】
なお、空洞部分１７には、粒状体７・・が上下動するための僅かな間隙を残して粒状体７・・が充填されている。また、上枠材１１のウエブ１９と下枠材１２の設置片１３、１３とは略面一となっていて、これらの間には僅かな隙間が形成されているが、この隙間は粒状体７・・の粒径よりも小さくなっており、粒状体７・・が飛び出ることはない。さらに、粒状体７・・の充填に際しては、例えば上枠材１１と下枠材１２とを上記のように組み合わせた状態で、上枠材１１若しくは下枠材１２に形成した図示しない充填用孔から粒状体７・・を空洞部分１７へ充填した後、充填用孔を塞ぐようにしたり、上枠材１１と下枠材１２とを長手方向へ互いに位置ずれした状態で組み合わせて、その位置ずれによって生じた隙間から粒状体７・・を空洞部分１７へ充填した後、位置ずれを直すようにしても良い。
【００２６】
上記構成の衝撃ダンパ５は、そのダンパ枠６を隣接する床梁１、１間に落とし込むようにして、ダンパ枠６の両端部から水平方向に張り出した設置片１３、１３を隣接する床梁１、１の上側フランジ８、８の上面に載置することで、隣接する床梁１、１間に跨って取り付けられている。
【００２７】
この取り付け状態において、図５に示すように、設置片１３、１３の突起１４・・が床梁１の上側フランジ８に形成してあるボルト挿通用孔９・・へ嵌り込んで、衝撃ダンパ５の水平方向への位置ずれが防止されている。
【００２８】
図６は、床梁１・・に対する衝撃ダンパ５・・の配置例を示している。衝撃ダンパ５・・としては、床梁１、１間の間隔に応じた例えば５００ｍｍ、１０００ｍｍ、２０００ｍｍといった長さの異なる複数種類のものが用意されており、これら複数の衝撃ダンパ５・・が床梁１・・の長手方向に例えば３００ｍｍ程度の間隔をあけて配置されていて、衝撃ダンパ５・・による制振効果を床全体に亘って発揮させるようにしている。
【００２９】
３０は、隣接する床梁１、１間に跨って設置される床板である。この床板３０は、例えばＡＬＣからなり、衝撃ダンパ５・・における床梁１、１間に落とし込んだダンパ枠６上、具体的には上枠材１１のウエブ１９上に載せられて、その両端部によって設置片１３、１３を床梁１、１の上側フランジ８、８の上面に押さえ付けている。
【００３０】
そして、床板３０・・上には、パーティクルボード３１が敷設され、そのパーティクルボード３１から床板３０を介して衝撃ダンパ５の上枠材１１のウエブ１９に至るまでビス３２、３２をねじ込んで、床板３０と衝撃ダンパ５とを一体化させている。なお、床板３０と衝撃ダンパ５との一体化に際しては、必ずしもビスのねじ込みによるものでなくても良く、例えば接着剤によって接着しても良い。
【００３１】
上記構成の遮音床構造において、床板３０・・に衝撃力が加わると、その衝撃力によって床板３０・・が振動して、床板３０・・と一体となっている衝撃ダンパ５・・においても、粒状体７・・がダンパ枠６の空洞部分１７内で上下動しながら振動する。これにより、床板３０を振動させるためのエネルギーの一部が粒状体７・・の振動のためのエネルギーとして消耗され、床板３０の振動が低減する。また、この粒状体７・・の振動に伴って、粒状体７・・同士が衝突し合ったり、粒状体７・・がダンパ枠６に衝突することで、床板３０に対してその振動を抑制する反衝撃力を与えて、床板３０の振動が低減する。このようにして、床板３０の振動を低減することで、下階へ伝搬する床衝撃音を小さく抑えることができ、遮音性能の向上を図ることができる。
【００３２】
この発明は、上記実施形態に限定されるものではなく、この発明の範囲内で上記実施形態に多くの修正及び変更を加え得ることは勿論である。例えば、この発明の遮音床構造は、軽量鉄骨造住宅の上階床だけに限らず、例えば木造住宅の上階床に適用しても良い。この場合、衝撃ダンパを、床板を支持する梁間や根太間に跨って取り付けるようにすれば良い。
【図面の簡単な説明】
【００３３】
【図１】この発明の一実施形態に係る遮音床構造の縦断面図である。
【図２】衝撃ダンパの縦断面図である。
【図３】衝撃ダンパの側面図である。
【図４】ダンパ枠の分解斜視図である。
【図５】設置片の突起を床梁のボルト挿通用孔へ嵌め込んだ状態を示す縦断面図である。
【図６】床梁に対する衝撃ダンパの配置例を示す平面図である。
【符号の説明】
【００３４】
１・・梁、５・・衝撃ダンパ、６・・ダンパ枠、７・・粒状体、８・・上側フランジ、９・・ボルト挿通用孔、１０・・リップ、１１・・上枠材、１２・・下枠材、１３・・設置片、１４・・突起、１６・・溝部、１７・・空洞部分、３０・・床板
【図１】
2007231689.tif 000003
【図２】
2007231689.tif 000004
【図３】
2007231689.tif 000005
【図４】
2007231689.tif 000006
【図５】
2007231689.tif 000007
【図６】
2007231689.tif 000008